(57)【要約】【課題】  推定および追跡が改良された、無線通信のための干渉除去を提供することである。【解決手段】  無線（たとえば、ＣＤＭＡ）通信システムにおいて干渉除去を行う手法が説明されている。一態様では、複数の直交ビンのビン当たり電力推定値が、これらの電力推定値の少なくとも２つの成分を推定することによって導出される。これらの成分は、たとえば、チャネル利得、雑音および干渉、ならびにビン利得を含むことが可能である。干渉除去は、ビン当たり電力推定値に基づいて行われる。別の態様では、高速追跡により、多段階で干渉除去が行われる。第１段階には、総電力推定値およびビン当たり電力推定値が導出される。第２段階には、総電力推定値が導出される。第２段階におけるビン当たり電力推定値も、第１および第２段階における総電力推定値と、第１段階におけるビン当たり電力推定値とに基づいて導出される。各段階の干渉除去は、それぞれの段階のビン当たり電力推定値に基づいて行われる。
2009518977.tif 000002
【特許請求の範囲】
【請求項１】
複数の直交ビンの電力推定値の少なくとも２つの成分を推定することによって、前記電力推定値を導出することと、前記複数の直交ビン（orthogonal bin）の前記電力推定値を用いて干渉除去を行うことと、を行うように構成された、少なくとも１つの処理装置（processor）と、
前記少なくとも１つの処理装置と結合されたメモリと、
を備える装置。
【請求項２】
前記少なくとも１つの処理装置は、通信チャネルのチャネル利得推定値を導出することと、雑音および干渉の推定値を導出することと、前記複数の直交ビンの前記電力推定値を、前記チャネル利得推定値と前記雑音および干渉の推定値とに基づいて導出することと、を行うように構成された、請求項１に記載の装置。
【請求項３】
前記少なくとも１つの処理装置は、空直交ビン（null orthogonal bin）の初期電力推定値を導出することと、前記雑音および干渉の推定値を、前記空直交ビンの前記初期電力推定値に基づいて導出することと、を行うように構成された、請求項２に記載の装置。
【請求項４】
前記少なくとも１つの処理装置は、前記複数の直交ビンの初期電力推定値を取得することと、前記雑音および干渉の推定値を、前記複数の直交ビンの前記初期電力推定値のうちの最小の初期電力推定値に基づいて導出することと、を行うように構成された、請求項２に記載の装置。
【請求項５】
前記少なくとも１つの処理装置は、前記チャネル利得推定値を、前記通信チャネルを介して受信されたパイロットに基づいて導出するように構成された、請求項２に記載の装置。
【請求項６】
前記少なくとも１つの処理装置は、通信チャネルのチャネル利得推定値を導出することと、雑音および干渉の推定値を導出することと、前記複数の直交ビンのそれぞれのビン利得推定値を導出することと、各直交ビンの電力推定値を、前記チャネル利得推定値と前記雑音および干渉の推定値と前記直交ビンの前記ビン利得推定値とに基づいて導出することと、を行うように構成された、請求項１に記載の装置。
【請求項７】
前記少なくとも１つの処理装置は、各直交ビンの初期電力推定値を導出することと、各直交ビンの前記ビン利得推定値を、前記直交ビンの前記初期電力推定値とパイロット電力推定値とに基づいて導出することと、を行うように構成された、請求項６に記載の装置。
【請求項８】
前記少なくとも１つの処理装置は、第１のフィルタを用いて前記チャネル利得推定値を導出することと、第２のフィルタを用いて前記雑音および干渉の推定値を導出することと、を行うように構成された、請求項２に記載の装置。
【請求項９】
前記少なくとも１つの処理装置は、第１のフィルタを用いて前記チャネル利得推定値を導出することと、第２のフィルタを用いて前記雑音および干渉の推定値を導出することと、第３のフィルタを用いて各直交ビンの前記ビン利得推定値を導出することと、を行うように構成された、請求項６に記載の装置。
【請求項１０】
前記第１、第２、および第３のフィルタは、少なくとも２つの異なる時定数を有する、請求項９に記載の装置。
【請求項１１】
複数の直交ビンの電力推定値の少なくとも２つの成分を推定することによって、前記電力推定値を導出することと、
前記複数の直交ビンの前記電力推定値を用いて干渉除去を行うことと、
を備える方法。
【請求項１２】
前記複数の直交ビンの前記電力推定値を前記導出することは、
通信チャネルのチャネル利得推定値を導出することと、
雑音および干渉の推定値を導出することと、
前記複数の直交ビンの前記電力推定値を、前記チャネル利得推定値および前記雑音および干渉の推定値に基づいて導出することと、
を備える、請求項１１に記載の方法。
【請求項１３】
前記複数の直交ビンの前記電力推定値を前記導出することは、
通信チャネルのチャネル利得推定値を導出することと、
雑音および干渉の推定値を導出することと、
前記複数の直交ビンのそれぞれのビン利得推定値を導出することと、
各直交ビンの電力推定値を、前記チャネル利得推定値と前記雑音および干渉の推定値と前記直交ビンの前記ビン利得推定値とに基づいて導出することと、
を備える、請求項１１に記載の方法。
【請求項１４】
前記複数の直交ビンの前記電力推定値を前記導出することは、
通信チャネルのチャネル利得推定値を導出することと、
前記複数の直交ビンの初期電力推定値を導出することと、
雑音および干渉の推定値を、前記初期電力推定値に基づいて導出することと、
前記複数の直交ビンのビン利得推定値を、前記初期電力推定値に基づいて導出することと、
前記複数の直交ビンの前記電力推定値を、前記チャネル利得推定値と前記雑音および干渉の推定値と前記ビン利得推定値とに基づいて導出することと、
を備える、請求項１１に記載の方法。
【請求項１５】
前記チャネル利得推定値は、第１のフィルタを用いて導出され、前記雑音および干渉の推定値は、第２のフィルタを用いて導出され、前記ビン利得推定値は、第３のフィルタを用いて導出される、請求項１４に記載の方法。
【請求項１６】
複数の直交ビンの電力推定値の少なくとも２つの成分を推定することによって、前記電力推定値を導出する手段と、
前記複数の直交ビンの前記電力推定値を用いて干渉除去を行う手段と、を備える装置。
【請求項１７】
前記複数の直交ビンの前記電力推定値を導出する前記手段は、
通信チャネルのチャネル利得推定値を導出する手段と、
雑音および干渉の推定値を導出する手段と、
前記複数の直交ビンの前記電力推定値を、前記チャネル利得推定値および前記雑音および干渉の推定値に基づいて導出する手段と、
を備える、請求項１６に記載の装置。
【請求項１８】
前記複数の直交ビンの前記電力推定値を導出する前記手段は、
通信チャネルのチャネル利得推定値を導出する手段と、
雑音および干渉の推定値を導出する手段と、
前記複数の直交ビンのそれぞれのビン利得推定値を導出する手段と、
各直交ビンの電力推定値を、前記チャネル利得推定値と前記雑音および干渉の推定値と前記直交ビンの前記ビン利得推定値とに基づいて導出する手段と、
を備える、請求項１６に記載の装置。
【請求項１９】
前記複数の直交ビンの前記電力推定値を導出する前記手段は、
通信チャネルのチャネル利得推定値を導出する手段と、
前記複数の直交ビンの初期電力推定値を導出する手段と、
雑音および干渉の推定値を、前記初期電力推定値に基づいて導出する手段と、
前記複数の直交ビンのビン利得推定値を、前記初期電力推定値に基づいて導出する手段と、
前記複数の直交ビンの前記電力推定値を、前記チャネル利得推定値と前記雑音および干渉の推定値と前記ビン利得推定値とに基づいて導出する手段と、
を備える、請求項１６に記載の装置。
【請求項２０】
第１段階の干渉除去を実行することと、前記第１段階における少なくとも１つの電力推定値を導出することと、前記第１段階における前記少なくとも１つの電力推定値を用いて、第２段階の干渉除去を実行することと、を行うように構成された少なくとも１つの処理装置と、
前記少なくとも１つの処理装置と結合されたメモリと、
を備える装置。
【請求項２１】
前記少なくとも１つの処理装置は、前記第１段階における、複数の直交ビンのビン当たり電力推定値を導出することと、前記ビン当たり電力推定値に基づいて、前記第１段階の干渉除去を実行することと、を行うように構成された、請求項２０に記載の装置。
【請求項２２】
前記少なくとも１つの処理装置は、前記第１段階における総電力推定値を導出するように構成され、前記第１段階における前記少なくとも１つの電力推定値は、前記第１段階における前記総電力推定値および前記ビン当たり電力推定値を備える、請求項２１に記載の装置。
【請求項２３】
前記少なくとも１つの処理装置は、前記第２段階における総電力推定値を導出することと、前記第２段階におけるビン当たり電力推定値を、前記第１および第２段階における前記総電力推定値と、前記第１段階における前記ビン当たり電力推定値とに基づいて導出することと、前記第２段階の干渉除去を、前記第２段階における前記ビン当たり電力推定値に基づいて実行することと、を行うように構成された、請求項２２に記載の装置。
【請求項２４】
前記少なくとも１つの処理装置は、前記第１段階における前記複数の直交ビンの電力値を取得することと、前記複数の直交ビンの前記電力値を合算して総電力値を取得することと、前記第１段階における前記総電力推定値を、前記総電力値に基づいて導出することと、前記第１段階における前記ビン当たり電力推定値を、前記複数の直交ビンの前記電力値に基づいて導出することと、を行うように構成された、請求項２１に記載の装置。
【請求項２５】
前記少なくとも１つの処理装置は、前記第１段階における総電力推定値を、第１のフィルタに基づいて導出することと、前記第１段階における複数の直交ビンのビン当たり電力推定値を、第２のフィルタに基づいて導出することと、を行うように構成された、請求項２０に記載の装置。
【請求項２６】
前記第１のフィルタは、第１の時定数を有し、前記第２のフィルタは、前記第１の時定数より長い第２の時定数を有する、請求項２５に記載の装置。
【請求項２７】
前記第１のフィルタは、時定数ゼロを有する、請求項２５に記載の装置。
【請求項２８】
前記第１段階の干渉除去のために、前記少なくとも１つの処理装置は、受信サンプルを処理して、信号を送信機から隔離し、入力サンプルを取得することと、前記入力サンプルを第１の変換に基づいて変換して、複数の直交ビンに対応する受信シンボルを取得することと、前記少なくとも１つの電力推定値に基づいて複数の利得を導出することと、前記受信シンボルを前記複数の利得で変倍して変倍シンボルを取得することと、前記変倍シンボルを第２の変換に基づいて変換して、前記送信機からの干渉が除去された出力サンプルを取得することと、を行うように構成された、請求項２０に記載の装置。
【請求項２９】
前記第１段階の干渉除去のために、前記少なくとも１つの処理装置は、前記複数の直交ビンのビン当たり電力推定値を、前記受信シンボルに基づいて導出することと、前記複数の利得を、前記ビン当たり電力推定値に基づいて導出することと、を行うように構成された、請求項２８に記載の装置。
【請求項３０】
前記第１段階の干渉除去のために、前記少なくとも１つの処理装置は、各直交ビンのビン当たり電力推定値を、前記直交ビンの受信シンボルに基づいて導出することと、各直交ビンの利得を、前記直交ビンの前記ビン当たり電力推定値の逆数に基づいて導出することと、各直交ビンの前記受信シンボルを、前記直交ビンの前記利得に基づいて変倍することと、を行うように構成された、請求項２８に記載の装置。
【請求項３１】
前記少なくとも１つの処理装置は、前記入力サンプルを変換する前に、前記送信機のタイミングに基づいて再サンプリングを実行することと、前記変倍シンボルを変換した後に、前記送信機の前記タイミングに基づいて外挿を実行することと、を行うように構成された、請求項２８に記載の装置。
【請求項３２】
第１段階の干渉除去を実行することと、
前記第１段階における少なくとも１つの電力推定値を導出することと、
前記第１段階における少なくとも１つの電力推定値を用いて、第２段階の干渉除去を実行することと、
を備える方法。
【請求項３３】
前記第１段階の干渉除去を前記実行することは、
前記第１段階における、複数の直交ビンのビン当たり電力推定値を導出することと、
前記ビン当たり電力推定値に基づいて、前記第１段階の干渉除去を実行することと、
を備える、請求項３２に記載の方法。
【請求項３４】
前記第１段階における前記少なくとも１つの電力推定値を前記導出することは、
前記第１段階における総電力推定値を導出することと、
前記第１段階における、複数の直交ビンのビン当たり電力推定値を導出することと、を備え、前記第１段階における前記少なくとも１つの電力推定値は、前記第１段階における前記総電力推定値および前記ビン当たり電力推定値を備える、請求項３２に記載の方法。
【請求項３５】
前記総電力推定値は、第１の時定数を有する第１のフィルタに基づいて導出され、前記ビン当たり電力推定値は、前記第１の時定数より長い第２の時定数を有する第２のフィルタに基づいて導出される、請求項３４に記載の方法。
【請求項３６】
前記第２段階の干渉除去を前記実行することは、
前記第２段階における総電力推定値を導出することと、
前記第２段階におけるビン当たり電力推定値を、前記第１および第２段階における前記総電力推定値と、前記第１段階における前記ビン当たり電力推定値とに基づいて導出することと、
前記第２段階における前記ビン当たり電力推定値に基づいて、前記第２段階の干渉除去を実行することと、
を備える、請求項３４に記載の方法。
【請求項３７】
第１段階の干渉除去を実行する手段と、
前記第１段階における少なくとも１つの電力推定値を導出する手段と、
前記第１段階における少なくとも１つの電力推定値を用いて、第２段階の干渉除去を実行する手段と、
を備える装置。
【請求項３８】
前記第１段階の干渉除去を実行する手段は、
前記第１段階における、複数の直交ビンのビン当たり電力推定値を導出する手段と、
前記ビン当たり電力推定値に基づいて、前記第１段階の干渉除去を実行する手段と、
を備える、請求項３７に記載の装置。
【請求項３９】
前記第１段階における前記少なくとも１つの電力推定値を導出する手段は、
前記第１段階における総電力推定値を導出する手段と、
前記第１段階における、複数の直交ビンのビン当たり電力推定値を導出する手段と、を備え、前記第１段階における前記少なくとも１つの電力推定値は、前記第１段階における前記総電力推定値および前記ビン当たり電力推定値を備える、請求項３７に記載の装置。
【請求項４０】
前記第２段階の干渉除去を実行する前記手段は、
前記第２段階における総電力推定値を導出する手段と、
前記第２段階におけるビン当たり電力推定値を、前記第１および第２段階における前記総電力推定値と、前記第１段階における前記ビン当たり電力推定値とに基づいて導出する手段と、
前記第２段階における前記ビン当たり電力推定値に基づいて、前記第２段階の干渉除去を実行する手段と、
を備える、請求項３９に記載の装置。
【発明の詳細な説明】
【技術分野】
【０００１】
本出願は、本出願の譲受人に譲渡され、参照により本明細書に組み込まれている、２００５年１２月６日に出願された米国特許仮出願第６０／７４８０６２号（件名「Ａｃｃｅｌｅｒａｔｅｄ  Ｔｒａｃｋｉｎｇ  ｆｏｒ  Ｃａｓｃａｄｅｄ  ＱＬＩＣ」）の優先権を主張するものである。
【０００２】
本開示は、主として通信に関し、特に、無線通信システムにおいて干渉除去を行う手法に関する。
【背景技術】
【０００３】
無線多元接続通信システムは、複数の無線端末（たとえば、携帯電話）と同時に通信することが可能である。そのような多元接続システムの例として、ＣＤＭＡ（Code Division Multiple Access：符号分割多元接続）システム、ＴＤＭＡ（Time Division Multiple Access：時分割多元接続）システム、ＦＤＭＡ（Frequency Division Multiple Access：周波数分割多元接続）システムなどがある。
【０００４】
無線多元接続システムは、典型的には、広い地理的エリアに通信カバレージを提供する多数の基地局を含む。各基地局は、任意の時点において、この基地局のカバレージエリア内にある１つまたは複数の無線端末にデータを送信することが可能である。所与の無線端末が、サービス提供基地局から所望の伝送を受信するとともに、近傍基地局から干渉伝送を受信する可能性がある。これらの干渉伝送は、これらの近傍基地局のカバレージエリア内にある他の無線端末に向けられた伝送が、この所与の無線端末への干渉として動作するものである。この干渉は、この所与の無線端末の、所望の伝送を復調する機能の妨げとなり、性能に大きな影響を及ぼす。
【０００５】
したがって、当分野では、無線通信システムにおいて、干渉伝送の存在下で所望の伝送を復調する手法が必要とされている。
【発明の開示】
【課題を解決するための手段】
【０００６】
（発明の概要）
本明細書では、無線通信システム（たとえば、ＣＤＭＡシステム）において干渉除去を行う手法について説明する。本明細書で用いられる「除去」および「抑圧」は、同義語であり、区別なく用いられる。本手法は、複数の直交ビン（bins）（たとえば、Ｗａｌｓｈビン）のビン当たり電力推定値に基づいて、干渉除去を行う。
【０００７】
一態様では、ビン当たり電力推定値は、これらの電力推定値の少なくとも２つの成分を推定することによって導出される。これらの成分は、たとえば、チャネル利得、雑音および干渉、ならびにビン利得を含むことが可能である。
【数１】
2009518977.tif 000003
【数２】
2009518977.tif 000004
【数３】
2009518977.tif 000005
【数４】
2009518977.tif 000006
【数５】
2009518977.tif 000007
【数６】
2009518977.tif 000008
【数７】
2009518977.tif 000009
【数８】
2009518977.tif 000010
【数９】
2009518977.tif 000011
【数１０】
2009518977.tif 000012
【発明を実施するための最良の形態】
【０００８】
本明細書に記載の干渉除去手法は、ＣＤＭＡ、ＴＤＭＡ、ＦＤＭＡ、直交ＦＤＭＡ（ＯＦＤＭＡ）、シングルキャリアＦＤＭＡ（ＳＣ−ＦＤＭＡ）の各システムのような、様々な通信システムに用いられることが可能である。ＣＤＭＡシステムは、ｃｄｍａ２０００、広帯域ＣＤＭＡ（Ｗ−ＣＤＭＡ）などのような、１つまたは複数のＣＤＭＡ無線接続技術（ＲＡＴ）を実装することが可能である。ｃｄｍａ２０００は、ＩＳ−２０００、ＩＳ−８５６、およびＩＳ９５の各規格をカバーする。ＴＤＭＡシステムは、ＧＳＭのようなＲＡＴを実装することが可能である。これらの各種ＲＡＴおよび規格は、当分野において公知である。Ｗ−ＣＤＭＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）というコンソーシアムからのドキュメントに記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）というコンソーシアムからのドキュメントに記載されている。３ＧＰＰおよび３ＧＰＰ２のドキュメントは公開されている。ＯＦＤＭＡシステムは、ＯＦＤＭを利用して、周波数領域のシンボルを、直交サブキャリヤに載せて送信する。ＳＣ−ＦＤＭＡシステムは、時間領域のシンボルを、直交サブキャリヤに載せて送信する。以下では、明確さのために、本手法をＣＤＭＡシステム（ｃｄｍａ２０００システムまたはＷ−ＣＤＭＡシステムであってよい）について説明する。
【０００９】
図１は、複数の基地局を有するＣＤＭＡシステム１００を示す。簡単のために、図１は、３つの基地局１１０ａ、１１０ｂ、および１１０ｃと、１つの無線端末１２０だけを示している。基地局は、一般には、無線端末と通信する固定局であり、ノードＢ（３ＧＰＰ用語）、アクセスポイントなどと呼ばれる場合もある。各基地局１１０は、特定の地理的エリアに通信カバレージを提供する。「セル」という用語は、この用語が用いられる文脈に応じて、基地局および／または基地局のカバレージエリアを意味する場合がある。システムの容量を増やすために、基地局のカバレージエリアを複数の（たとえば、３つの）小エリアに分割することが可能である。各小エリアは、それぞれの基地トランシーバサブシステム（ＢＴＳ）からサービスを受ける。「セクタ」という用語は、この用語が用いられる文脈に応じて、ＢＴＳおよび／またはＢＴＳのカバレージエリアを意味する場合がある。セクタ化されたセルの場合、このセルのすべてのセクタのＢＴＳは、典型的には、このセルの基地局の中の同じ場所に配置される。以下の説明では、各セルが複数のセクタに分割されているものとする。簡単のために、「基地局」という用語は、セル用固定局およびセクタ用固定局を総称的に意味する。サービス提供基地局／セクタは、無線端末が通信する基地局／セクタである。
【００１０】
無線端末は、固定式でも移動式でもよく、ユーザ装置（ＵＥ）（３ＧＰＰ用語）、移動局（ｃｄｍａ２０００用語）、ユーザ端末などと呼ばれる場合もある。無線端末は、携帯電話、携帯情報端末（ＰＤＡ）、無線モデムカードなどであってよい。無線端末は、任意の時点において、０個、１個、または複数個の基地局と、順方向リンクおよび逆方向リンクで通信することが可能である。順方向リンク（ダウンリンク）は、基地局から無線端末への通信リンクを意味し、逆方向リンク（アップリンク）は、無線端末から基地局への通信リンクを意味する。簡単のために、図１は、順方向リンクの伝送のみを示している。無線端末１２０は、サービス提供基地局１１０ａから、見通しパスおよび反射パスを介して、所望の伝送を受信し、さらに、近傍基地局１１０ｂおよび１１０ｃから、見通しパスおよび反射パスを介して、干渉伝送を受信する。
【００１１】
図２は、基地局１１０ｉおよび無線端末１２０のブロック図を示す。基地局１１０ｉは、図１に示された基地局のいずれか１つであってよい。簡単のために、図２は、１つの送信アンテナを有する基地局１１０ｉと、１つの受信アンテナを有する無線端末１２０と、を示す。一般に、基地局１１０ｉおよび無線端末１２０は、それぞれが任意の数のアンテナを備えることが可能である。簡単のために、図２は、順方向リンクのデータ伝送のための処理ユニット（processing units）のみを示している。
【００１２】
基地局１１０ｉでは、送信（transmit）（ＴＸ）データ処理装置（data processor）２１０が、サービス享受側の無線端末へのトラヒックデータを受け取り、このトラヒックデータを処理（たとえば、符号化、インタリーブ、およびシンボルマッピング）してデータシンボルを生成し、このデータシンボルをＣＤＭＡ変調器２２０に渡す。本明細書で用いられる、データシンボルは、データの変調シンボルであり、パイロットシンボルは、パイロットの変調シンボルであり、変調シンボルは、（たとえば、Ｍ−ＰＳＫまたはＭ−ＱＡＭの）信号コンステレーション内の点の複素数値であり、シンボルは、一般に複素数値であり、パイロットは、基地局および無線端末の両方によってアプリオリに知られているデータである。ＣＤＭＡ変調器２２０は、後述されるようにデータシンボルおよびパイロットシンボルを処理し、出力チップのストリームを送信機（ＴＭＴＲ）２３０に渡す。送信機２３０は、出力チップストリームを処理（たとえば、アナログに変換、増幅、フィルタリング、および周波数アップコンバート）して順方向リンク信号を生成し、これがアンテナ２３２から送信される。
【００１３】
無線端末１２０では、アンテナ２５２が、基地局１１０ｉならびに他の基地局から送信された順方向リンク信号を受信する。アンテナ２５２は、受信した信号を受信機（ＲＣＶＲ：received signal to a receiver）２５４に供給する。受信機２５４は、受信信号を処理（たとえば、フィルタリング、増幅、周波数ダウンコンバート、およびデジタイズ）し、受信サンプルを干渉除去装置２６０に渡す。干渉除去装置２６０は、後述されるように、与干渉基地局からの干渉を抑圧し、サービス提供基地局に関連する干渉除去済みサンプルをレイク受信機２７０に渡す。アンテナ２５２は、図１に示された１つまたは複数の信号パスを介してサービス提供基地局から順方向リンク信号を受信する可能性があり、受信信号は、サービス提供基地局に関連する１つまたは複数の信号インスタンス（マルチパス）を含む可能性がある。レイク受信機２７０は、すべての関心対象マルチパスを処理し、サービス提供基地局から送られたデータシンボルの推定値であるデータシンボル推定値を提供する。レイク受信機２７０は、等化器または他の何らかのタイプの受信機に置き換えられることも可能である。受信（ＲＸ）データ処理装置２８０は、データシンボル推定値を処理（たとえば、シンボルデマッピング、デインタリーブ、および復号：symbol demaps, deinterleaves, and decodes）し、復号データ（decoded data）を提供する。一般に、レイク受信機（rake receiver）２７０およびＲＸデータ処理装置２８０による処理は、それぞれ、基地局１１０ｉのＣＤＭＡ変調器２２０およびＴＸデータ処理装置２１０による処理と相補的である。
【００１４】
制御装置／処理装置（controllers/processors）２４０および２９０は、それぞれ、基地局１１０ｉおよび無線端末１２０での動作を管理する。メモリ２４２および２９２は、それぞれ、基地局１１０ｉ用および無線端末１２０用のデータおよびプログラムコードを記憶する。
【００１５】
ＣＤＭＡの場合は、複数の異なる直交符号（different orthogonal codes）を用いて、複数の直交チャネルを取得することが可能である。たとえば、ｃｄｍａ２０００では、複数の異なるＷａｌｓｈ符号を用いて、複数の直交トラヒックチャネルを取得することが可能であり、ＷＣＤＭＡでは、複数の異なる直交可変拡散率（ＯＶＳＦ：orthogonal variable spreading factor）符号を用いて、複数の直交物理チャネル（orthogonal physical channels）を取得することが可能である。直交チャネルを用いて、様々な無線端末に対応する、様々なタイプのデータ（たとえば、トラヒックデータ、ブロードキャストデータ、制御データ、パイロットなど）および／またはトラヒックデータを送信することが可能である。直交チャネルは、システム帯域幅全体にわたって、適切に変倍、結合、およびスペクトル拡散される。スペクトル拡散は、拡散符号を用いて行われ、拡散符号は、ｃｄｍａ２０００の場合は擬似乱数（ＰＮ）系列であり、Ｗ−ＣＤＭＡの場合はスクランブル符号である。ｃｄｍａ２０００では、Ｗａｌｓｈ符号によるチャネル化を「カバリング」と呼び、スペクトル拡散（spectral spreading）を「拡散（spreading）」と呼ぶ。Ｗ−ＣＤＭＡでは、ＯＶＳＦ符号によるチャネル化を「拡散」と呼び、スペクトル拡散を「スクランブル」と呼ぶ。明確さのために、以下の説明では、ｃｄｍａ２０００の用語（たとえば、トラヒックチャネル、カバリング、拡散など）を用いる。
【００１６】
図３は、基地局１１０ｉ内のＣＤＭＡ変調器２２０のブロック図を示す。簡単のために、以下の説明では、各セクタごとにＮ個のトラヒックチャネルが使用可能であり、各トラヒックチャネルには、長さＮの、異なるＷａｌｓｈ符号が割り当てられるものとする（Ｎは、ｃｄｍａ２０００の場合には、４、８、１６、３２、６４、または１２８であることが可能である）。一般に、トラヒックチャネルには、異なる長さの直交符号を用いることが可能であり、Ｎは、最長直交符号の長さに対応することが可能である。
【００１７】
ＣＤＭＡ変調器２２０は、Ｎ個のトラヒックチャネルに対して、Ｎ個のトラヒックチャネル処理装置（traffic channel processors）３１０ａ〜３１０ｎを含む。各トラヒックチャネル処理装置３１０内では、乗算器３１２が、トラヒックチャネルｎのデータシンボルを受け取り、トラヒックチャネルｎの利得ｇｉ，ｎで変倍して、変倍データシンボルを提供する。利得ｇｉ，ｎは、トラヒックチャネルｎが使用されない場合には、ゼロに設定されてよい。Ｗａｌｓｈカバリング装置（Walsh cover unit）３１４が、トラヒックチャネルｎに割り当てられたＷａｌｓｈ符号ｗｎを用いて、変倍データシンボルをチャネル化する。装置３１４によるカバリングは、各変倍データシンボルを複数回繰り返してＮ個の複製シンボルを生成し、このＮ個の複製シンボルにＷａｌｓｈ符号ｗｎのＮ個のチップを乗じて、このデータシンボルに関連するＮ個のデータチップを生成することにより、行われる。結合器３２０が、Ｎ個のトラヒックチャネルすべてのデータチップを受け取り、合算する。乗算器３２２が、結合データチップに、セクタｉに割り当てられた拡散符号を乗じて、出力チップを出力する。
【００１８】
セクタｉ向けの出力チップは、次式のように、離散時間で表されることが可能である。
【数１１】
2009518977.tif 000013
【数１２】
2009518977.tif 000014
【数１３】
2009518977.tif 000015
【数１４】
2009518977.tif 000016
【数１５】
2009518977.tif 000017
【数１６】
2009518977.tif 000018
【数１７】
2009518977.tif 000019
【数１８】
2009518977.tif 000020
【数１９】
2009518977.tif 000021
【数２０】
2009518977.tif 000022
【数２１】
2009518977.tif 000023
【数２２】
2009518977.tif 000024
【数２３】
2009518977.tif 000025
【数２４】
2009518977.tif 000026
【数２５】
2009518977.tif 000027
【数２６】
2009518977.tif 000028
【数２７】
2009518977.tif 000029
【数２８】
2009518977.tif 000030
【数２９】
2009518977.tif 000031
【数３０】
2009518977.tif 000032
【数３１】
2009518977.tif 000033
【数３２】
2009518977.tif 000034
【数３３】
2009518977.tif 000035
【数３４】
2009518977.tif 000036
【数３５】
2009518977.tif 000037
【数３６】
2009518977.tif 000038
【数３７】
2009518977.tif 000039
【数３８】
2009518977.tif 000040
【数３９】
2009518977.tif 000041
【数４０】
2009518977.tif 000042
【数４１】
2009518977.tif 000043
【数４２】
2009518977.tif 000044
【数４３】
2009518977.tif 000045
【数４４】
2009518977.tif 000046
【数４５】
2009518977.tif 000047
【数４６】
2009518977.tif 000048
【数４７】
2009518977.tif 000049
【数４８】
2009518977.tif 000050
【数４９】
2009518977.tif 000051
【数５０】
2009518977.tif 000052
【数５１】
2009518977.tif 000053
【数５２】
2009518977.tif 000054
【数５３】
2009518977.tif 000055
【数５４】
2009518977.tif 000056
【数５５】
2009518977.tif 000057
【数５６】
2009518977.tif 000058
【数５７】
2009518977.tif 000059
【数５８】
2009518977.tif 000060
【数５９】
2009518977.tif 000061
【数６０】
2009518977.tif 000062
【数６１】
2009518977.tif 000063
【数６２】
2009518977.tif 000064
【数６３】
2009518977.tif 000065
【数６４】
2009518977.tif 000066
【数６５】
2009518977.tif 000067
【数６６】
2009518977.tif 000068
【数６７】
2009518977.tif 000069
【数６８】
2009518977.tif 000070
【数６９】
2009518977.tif 000071
【数７０】
2009518977.tif 000072
【数７１】
2009518977.tif 000073
【数７２】
2009518977.tif 000074
【数７３】
2009518977.tif 000075
【数７４】
2009518977.tif 000076
【数７５】
2009518977.tif 000077
【数７６】
2009518977.tif 000078
【数７７】
2009518977.tif 000079
【数７８】
2009518977.tif 000080
【数７９】
2009518977.tif 000081
【数８０】
2009518977.tif 000082
【数８１】
2009518977.tif 000083
【数８２】
2009518977.tif 000084
【数８３】
2009518977.tif 000085
【数８４】
2009518977.tif 000086
【数８５】
2009518977.tif 000087
【数８６】
2009518977.tif 000088
【００１９】
図５は、干渉除去を実行するプロセス５００の一実施形態を示す。最初に、時間領域の受信サンプル（たとえば、ＣＤＭＡの場合）または周波数領域の受信サンプル（たとえば、ＯＦＤＭの場合）が取得される。受信サンプルが処理されて、与干渉送信機ｌからの信号が隔離される（ブロック５１２）。ブロック５１２の処理は、逆拡散（ｃｄｍａ２０００の場合）、デスクランブル（Ｗ−ＣＤＭＡの場合）などの操作であってよい。次に、分解が実行されて、送信機ｌに対応する複数の直交ビンが取得される（ブロック５１６）。直交ビンは、直交チャネル、Ｗａｌｓｈビン、固有モード、モード、トラヒックチャネル、物理チャネルなどとも呼ばれる場合がある。直交ビンは、ｃｄｍａ２０００の場合は、複数の異なるＷａｌｓｈ符号について取得され、Ｗ−ＣＤＭＡの場合は、複数の異なるＯＶＳＦ符号について取得される。分解は、ｃｄｍａ２０００およびＷ−ＣＤＭＡの場合はＦＨＴにより行われ、ＯＦＤＭシステムおよびＦＤＭＡシステムの場合は高速フーリエ変換（ＦＦＴ）により行われ、他のシステムの場合は他のタイプの変換により行われることが可能である。
【００２０】
干渉除去は、各直交ビンごとにＬＭＭＳＥ変倍を行うことにより、達成されることが可能である。この場合は、送信機ｌの各直交ビンの電力が推定される（ブロック５２２）。各直交ビンの電力推定値の逆数が計算される（ブロック５２６）。次に、電力推定値が大きい直交ビンほど減衰も大きくなるように、各直交ビンが、それぞれの直交ビンの電力推定値の逆数で変倍される（ブロック５４０）。次に、分解に用いられた変換の逆を用いて、直交ビンが逆変換されて離散時間に戻る（ブロック５４２）。次に、送信機ｌを隔離する処理が解除される（ブロック５４６）。ブロック５４６の処理は、拡散（ｃｄｍａ２０００の場合）、スクランブル（Ｗ−ＣＤＭＡの場合）などの操作であってよい。
【００２１】
図６Ａは、干渉除去を実行するプロセス６００の一実施形態を示す。以下に示されるように、電力推定値の少なくとも２つの成分を推定することにより、複数の直交ビンの電力推定値が導出される（ブロック６１０）。次に、複数の直交ビンの電力推定値を用いて、干渉除去が行われる（ブロック６２０）。ブロック６１０は、図５のブロック５２２に対応し、ブロック６２０は、図５の残りのブロックを含む。
【００２２】
図６Ｂは、図６Ａのブロック６１０の一実施形態を示す。
【数８７】
2009518977.tif 000089
【数８８】
2009518977.tif 000090
【数８９】
2009518977.tif 000091
【数９０】
2009518977.tif 000092
【数９１】
2009518977.tif 000093
【数９２】
2009518977.tif 000094
【数９３】
2009518977.tif 000095
【数９４】
2009518977.tif 000096
【数９５】
2009518977.tif 000097
【数９６】
2009518977.tif 000098
【数９７】
2009518977.tif 000099
【数９８】
2009518977.tif 000100
【数９９】
2009518977.tif 000101
【数１００】
2009518977.tif 000102
【数１０１】
2009518977.tif 000103
【数１０２】
2009518977.tif 000104
【数１０３】
2009518977.tif 000105
【数１０４】
2009518977.tif 000106
【数１０５】
2009518977.tif 000107
【数１０６】
2009518977.tif 000108
【数１０７】
2009518977.tif 000109
【数１０８】
2009518977.tif 000110
【数１０９】
2009518977.tif 000111
【数１１０】
2009518977.tif 000112
【数１１１】
2009518977.tif 000113
【数１１２】
2009518977.tif 000114
【数１１３】
2009518977.tif 000115
【数１１４】
2009518977.tif 000116
【数１１５】
2009518977.tif 000117
【数１１６】
2009518977.tif 000118
【数１１７】
2009518977.tif 000119
【数１１８】
2009518977.tif 000120
【数１１９】
2009518977.tif 000121
【数１２０】
2009518977.tif 000122
【数１２１】
2009518977.tif 000123
【数１２２】
2009518977.tif 000124
【数１２３】
2009518977.tif 000125
【数１２４】
2009518977.tif 000126
【数１２５】
2009518977.tif 000127
【数１２６】
2009518977.tif 000128
【数１２７】
2009518977.tif 000129
【数１２８】
2009518977.tif 000130
【数１２９】
2009518977.tif 000131
【数１３０】
2009518977.tif 000132
【数１３１】
2009518977.tif 000133
【数１３２】
2009518977.tif 000134
【数１３３】
2009518977.tif 000135
【数１３４】
2009518977.tif 000136
【数１３５】
2009518977.tif 000137
【数１３６】
2009518977.tif 000138
【数１３７】
2009518977.tif 000139
【数１３８】
2009518977.tif 000140
【数１３９】
2009518977.tif 000141
【数１４０】
2009518977.tif 000142
【数１４１】
2009518977.tif 000143
【数１４２】
2009518977.tif 000144
【数１４３】
2009518977.tif 000145
【数１４４】
2009518977.tif 000146
【数１４５】
2009518977.tif 000147
【数１４６】
2009518977.tif 000148
【数１４７】
2009518977.tif 000149
【数１４８】
2009518977.tif 000150
【数１４９】
2009518977.tif 000151
【数１５０】
2009518977.tif 000152
【数１５１】
2009518977.tif 000153
【数１５２】
2009518977.tif 000154
【数１５３】
2009518977.tif 000155
【数１５４】
2009518977.tif 000156
【数１５５】
2009518977.tif 000157
【数１５６】
2009518977.tif 000158
【数１５７】
2009518977.tif 000159
【数１５８】
2009518977.tif 000160
【数１５９】
2009518977.tif 000161
【数１６０】
2009518977.tif 000162
【数１６１】
2009518977.tif 000163
【数１６２】
2009518977.tif 000164
【数１６３】
2009518977.tif 000165
【数１６４】
2009518977.tif 000166
【数１６５】
2009518977.tif 000167
【数１６６】
2009518977.tif 000168
【数１６７】
2009518977.tif 000169
【数１６８】
2009518977.tif 000170
【数１６９】
2009518977.tif 000171
【数１７０】
2009518977.tif 000172
【数１７１】
2009518977.tif 000173
【数１７２】
2009518977.tif 000174
【数１７３】
2009518977.tif 000175
【数１７４】
2009518977.tif 000176
【数１７５】
2009518977.tif 000177
【数１７６】
2009518977.tif 000178
【数１７７】
2009518977.tif 000179
【数１７８】
2009518977.tif 000180
【数１７９】
2009518977.tif 000181
【数１８０】
2009518977.tif 000182
【数１８１】
2009518977.tif 000183
【数１８２】
2009518977.tif 000184
【数１８３】
2009518977.tif 000185
【数１８４】
2009518977.tif 000186
【数１８５】
2009518977.tif 000187
【数１８６】
2009518977.tif 000188
【数１８７】
2009518977.tif 000189
【数１８８】
2009518977.tif 000190
【数１８９】
2009518977.tif 000191
【００２３】
図１３は、干渉除去を多段階で実行するプロセス１３００の一実施形態を示す。第１段階では、複数の直交ビンの総電力推定値およびビン当たり電力推定値が、たとえば、この段階における受信シンボルに基づいて導出される（ブロック１３１２）。第１段階における総電力推定値は、ゼロ以上であってよい第１の時定数を有する第１のフィルタに基づいて導出されることが可能である。第１段階におけるビン当たり電力推定値は、第１の時定数より長い第２の時定数を有する第２のフィルタに基づいて導出されることが可能である。第１段階の干渉除去が、この段階におけるビン当たり電力推定値に基づいて行われる（ブロック１３１４）。第２段階における総電力推定値が、たとえば、この段階における受信シンボルに基づいて導出される（ブロック１３１６）。第２段階におけるビン当たり電力推定値も、第１および第２段階における総電力推定値と、第１段階におけるビン当たり電力推定値とに基づいて導出される（ブロック１３１８）。第２段階の干渉除去が、この段階におけるビン当たり電力推定値に基づいて行われる（ブロック１３２０）。後続の各段階における処理は、第２段階と同様に行われることが可能である。
【００２４】
無線端末は、１つまたは複数の、セクタの集合を維持することが可能であり、それらはたとえば、（１）この無線端末が通信しているセクタを含むアクティブ集合、（２）アクティブ集合内のセクタと隣接するセクタを含む隣接集合、（３）この無線端末によって強く受信されるセクタを含み、アクティブ集合に含まれる候補である候補集合、および／または（４）他の何らかのセクタ集合である。干渉除去は、様々な様式で実行されることが可能である。一実施形態では、アクティブ集合にあるセクタに対して、干渉除去が行われる。無線端末は、典型的には、これらのセクタを強く受信し、さらに、これらのセクタに対して干渉除去を効果的に実行するためのタイミング情報およびマルチパス情報を有する。別の実施形態では、無線端末の処理能力に基づいて、可能な限り多くのセクタに対して干渉除去が実行される。これらのセクタは、それぞれの受信信号強度または他の何らかの基準に基づいて干渉除去の対象として選択されることが可能である。
【００２５】
本明細書に記載の干渉除去手法は、様々な手段により実装可能である。たとえば、これらの手法は、ハードウェア、ファームウェア、ソフトウェア、またはこれらの組み合わせのかたちで実装されることが可能である。ハードウェアによる実装の場合、干渉除去を実行するために用いられる処理ユニット（processing units）は、１つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子デバイス、他の、本明細書に記載の機能を実行するように設計された電子装置、またはこれらの組み合わせの中に実装されることが可能である。
【００２６】
ソフトウェアまたはファームウェアによる実装の場合、干渉除去手法は、本明細書に記載の機能を実行するモジュール（たとえば、プロシージャ、関数など）を用いて実装されることが可能である。ソフトウェアおよび／またはファームウェアのコードは、メモリ（たとえば、図２のメモリ２９２）に記憶され、処理装置（たとえば、処理装置２９０）によって実行されることが可能である。メモリは、処理装置の内部または外部に実装されることが可能である。
【００２７】
開示された実施形態の、ここまでの説明は、当業者が本発明を作成または使用することを可能にするために提供されている。これらの実施形態に対する様々な修正は、当業者には自明であろう。また、本明細書で定義された一般原理は、本発明の趣旨または範囲から逸脱することなく他の実施形態にも適用可能である。したがって、本発明は、本明細書で示された実施形態に限定されるものではなく、本明細書で開示された原理および新規な特徴との整合性が取れる最も広い範囲が与えられるべきものである。
【図面の簡単な説明】
【００２８】
【図１】複数の基地局を有するＣＤＭＡシステムを示す図である。
【図２】基地局および無線端末のブロック図である。
【図３】基地局におけるＣＤＭＡ変調器を示す図である。
【図４】単一セクタ干渉除去装置を示す図である。
【図５】干渉除去を実行するプロセスを示す図である。
【図６Ａ】干渉除去を実行する別のプロセスを示す図である。
【図６Ｂ】電力推定値を導出するプロセスを示す図である。
【図７】並列多セクタ干渉除去装置を示す図である。
【図８Ａ】縦続型２セクタ干渉除去装置を示す図である。
【図８Ｂ】縦続型多セクタ干渉除去装置を示す図である。
【図９】並列２段階干渉除去装置を示す図である。
【図１０Ａ】準線形干渉除去（ＱＬＩＣ）ブロックの実施形態を示す図である。
【図１０Ｂ】準線形干渉除去（ＱＬＩＣ）ブロックの実施形態を示す図である。
【図１１】加速追跡を有する縦続型干渉除去装置を示す図である。
【図１２Ａ】加速追跡を有する第１段階におけるＱＬＩＣブロックを示す図である。
【図１２Ｂ】後続段階におけるＱＬＩＣブロックを示す図である。
【図１３】縦続型干渉除去を実行するプロセスを示す図である。
【図１】
2009518977.tif 000192
【図２】
2009518977.tif 000193
【図３】
2009518977.tif 000194
【図４】
2009518977.tif 000195
【図５】
2009518977.tif 000196
【図６Ａ】
2009518977.tif 000197
【図６Ｂ】
2009518977.tif 000198
【図７】
2009518977.tif 000199
【図８Ａ】
2009518977.tif 000200
【図８Ｂ】
2009518977.tif 000201
【図９】
2009518977.tif 000202
【図１０Ａ】
2009518977.tif 000203
【図１０Ｂ】
2009518977.tif 000204
【図１１】
2009518977.tif 000205
【図１２Ａ】
2009518977.tif 000206
【図１２Ｂ】
2009518977.tif 000207
【図１３】
2009518977.tif 000208
【国際調査報告】
2009518977.tif 000209
2009518977.tif 000210
2009518977.tif 000211